(57)【要約】      （修正有）【課題】コンパクトに携帯できるとともに局部を殺菌・消毒できるビデを提供する。【解決手段】洗浄液を収納する所要長さの筒体部１と、該筒体部１の後端部に連設され握り部を兼ねて洗浄液を噴射させるためのエアを供給するエアバッグ部２とから構成され、前記筒体部１は、その先端部１ａを円弧状に形成して少なくとも１個の噴出孔３を設け、内部には洗浄液を保留し且つ押し出し部材５が配設され、前記噴出孔３は、洗浄液収納後に剥離可能なフィルム材１０で閉塞し、前記エアバック部２は、封止可能なエア導入口７を有する可撓性または柔軟性の樹脂で形成され、未使用時には、前記エアバッグ部２を押し潰して前記筒体部１の側面に添わせた状態にして包装する構成とした。【選択図】  図１
2005027741.tif 000002
【特許請求の範囲】
【請求項１】
洗浄液を収納する所要長さの筒体部と、該筒体部の後端部に連設され握り部を兼ねて洗浄液を噴射させるためのエアを供給するエアバッグ部とから構成され、
前記筒体部は、硬質の樹脂で形成されその先端部を円弧状に形成して少なくとも１個の噴出孔を設けると共に、内部には洗浄液を保留し且つ押し出し部材が配設され、
前記噴出孔は、洗浄液収納後に剥離可能なフィルム材で閉塞し、
前記エアバック部は、封止可能なエア導入口を有する可撓性または柔軟性の樹脂で形成され、
未使用時には、前記エアバッグ部を押し潰して前記筒体部の側面に添わせた状態にして包装することを特徴とする携帯用ビデ。
【請求項２】
前記洗浄液は、１〜２０ｐｐｍ濃度の銀イオン水または銀コロイド水である請求項１に記載の携帯用ビデ。
【請求項３】
洗浄液を保留し且つ押し出し部材は、摺動可能なシリンジ部材または袋体である請求項１に記載の携帯用ビデ。
【請求項４】
前記エアバッグ部には、エア導入口を塞ぐ栓部材または弁部材が設けてある請求項１に記載の携帯用ビデ。
【発明の詳細な説明】
【０００１】
【発明の属する技術分野】
本発明は、コンパクトに纏めて包装し常時携帯ができ、必要な時に局部の洗浄並びに殺菌・消毒・消臭等に、厄介な操作なしに直ちに且つ速やかに使用できる携帯用ビデに関するものである。
【０００２】
【従来の技術】
従来、この種の携帯用ビデは、例えば、トイレに設置ビデが設備されていない場所でも使用できるように、しかも、携帯に便利であることが要求されていることから、種々の構成のものが開発され公知になっている。
【０００３】
このような実情から、例えば、合成樹脂製フィルムで形成した可撓性の貯水袋と、その貯水袋に取着して水を出し入れする流路となる送水管と、その送水管の先端に取着する噴射ノズルと、その噴射ノズルと送水管との間に流通弁部を介在させた構成を有し、貯水袋内に位置する送水管を、同貯水袋内面に熱融着したものであり、更に、噴射ノズルの先端部に横方向に突出する噴出孔が形成され、または先端部近傍に突状壁を形成した携帯用局部洗浄具が公知になっている（特許文献１参照）。
【０００４】
このように構成することで、貯水袋を空の状態にして全体をコンパクトに纏めて持ち運ぶことができ、使用時において、送水管から噴射ノズルと流通弁部を取り外し、開口した送水管から水道水等の水を貯水袋内に所要量を溜めた後に、送水管の開口部に流通弁部を配設し噴射ノズルを螺着して取り付け、貯水袋を握ることにより加圧して内部の水を送水管から流通弁部を介して噴射ノズルへ送流させノズルヘッドから噴射させるものである。
【０００５】
また、携帯を便利にするために、例えば、蒸留水等の洗浄液を収納した弾力性を有する洗浄液ケースの開口部に蓋体を被着し、該蓋体の中心部に設けた挿通口を介して洗浄管を出没可能に設け、洗浄管の先端側を径大に形成して没入させた時に挿通口を塞ぎ、洗浄管を引き出した時に洗浄液流入孔が開く弁体を洗浄管の後端側に設けた構成であり、その弁体を開くための複雑な構成と、引き出した洗浄管を固定維持するための構成とが蓋体の内側と洗浄管の後端側とに形成された技術が公知になっている（特許文献２参照）。
【０００６】
このように構成することで、携帯時には洗浄管が洗浄液ケース内に没入した状態になるので嵩張らず便利であり、使用時に洗浄管を引き出して弁体の洗浄液流入孔を開き、洗浄液ケースを握ることにより加圧して洗浄管の先端から洗浄水を噴出させるものである。
【０００７】
【特許文献１】
特開２０００−１３９７６０号公報（第２〜６頁、図１）
【特許文献２】
実開平７−４５００４号公報（第１〜２頁、図１、図２）
【０００８】
【発明が解決しようとする課題】
しかしながら、前記特許文献１に記載の発明においては、貯水袋に洗浄水を入れない状態で持ち運びができるために携帯が便利であるが、使用時に送水管から噴射ノズルと流通弁部を取り外し、水道水等の水を貯水袋内に溜めた後に、取り外してある流通弁部と噴射ノズルを送水管の開口部に取り付ける際に、流通弁部の方向を間違えて取り付けると、貯水袋を強く握っても水が噴射せず、再度取り外してやり直さなければならず、これらの取り外し及び取り付けの作業が厄介であると共に、消毒していない水道水の使用に不安を与えるばかりでなく、その使用態様において、ノズルヘッドが横向きに突出していたり、先端部近傍に突状壁があったりすると、局部への挿入時に痛みが生じたり不快感を与えたりし、更に、洗浄によって局部から溢出する洗浄後の汚染水で手が濡れる（汚れる）状況にあるという不都合もある。
【０００９】
また、前記特許文献２に記載の発明においては、ケース内に予め洗浄液が充填された状態になっていることから、水道水等の消毒していない水の使用を避けるという点で不安はないが、使用時に洗浄管を引き出す際に、強く引きすぎると洗浄管が抜けてしまったり、また、引き出しが弱いと弁体の洗浄液流入孔が充分開かなかったりし、引き出しのストロークと弁体における洗浄液流入孔の開き具合が把握できず、その点で不安があるばかりでなく、使用時において、構成的にみても、洗浄によって局部から溢出する洗浄後の汚染水で手が濡れる（汚れる）状況にあるという不都合あると共に、蓋体の構成、洗浄管の構成及び弁体の構成が複雑であると共に、構成部品の点数が多くなりコスト高になるという問題点を有している。
【００１０】
従って、従来例の携帯用ビデにおいては、嵩張らずに携帯を容易にすることはもちろんであるが、使用時において操作性が容易であること、使用時に種々の不都合がないようにすること、及び部品点数を減らして簡素化しコストを低減させるとともに、洗浄後において局部を殺菌・消毒・消臭できるようにして不安を解消させることに解決しなければならない課題を有している。
【００１１】
【課題を解決するための手段】
上記した従来例の課題を解決する具体的手段として本発明は、洗浄液を収納する所要長さの筒体部と、該筒体部の後端部に連設され握り部を兼ねて洗浄液を噴射させるためのエアを供給するエアバッグ部とから構成され、前記筒体部は、硬質の樹脂で形成されその先端部を円弧状に形成して少なくとも１個の噴出孔を設けると共に、内部には洗浄液を保留し且つ押し出し部材が配設され、前記噴出孔は、洗浄液収納後に剥離可能なフィルム材で閉塞し、前記エアバック部は、封止可能なエア導入口を有する可撓性または柔軟性の樹脂で形成され、未使用時には、前記エアバッグ部を押し潰して前記筒体部の側面に添わせた状態にして包装することを特徴とする携帯用ビデを提供するものである。
【００１２】
この発明において、前記洗浄液は、１〜２０ｐｐｍ濃度の銀イオン水または銀コロイド水であること；洗浄液を保留し且つ押し出し部材は、摺動可能なシリンジ部材または袋体であること；及び前記エアバッグ部には、エア導入口を塞ぐ栓部材または弁部材が設けてあること；を付加的な要件として含むものである。
【００１３】
本発明に係る携帯用ビデは、筒体部の内部に洗浄液が収納されており、噴出孔側はフィルム材で閉塞されており、且つエアバック部は未使用時は押し潰して筒体部の側面に添わせて全体を包装してあるので、全体が小型コンパクトに纏められており、携帯に便利であると共に、使用時においては、握り部を兼ねたエアバック部を膨らまし、フィルム材を剥がした後に、エアバック部を握って加圧することにより押し出し部材が移動または変形して噴出孔から洗浄液を噴出させることができるのであり、操作が極めて簡単に行えるばかりでなく、所要濃度の銀イオン水または銀コロイド水を洗浄液として使用することによって、洗浄後における局部の殺菌・消毒・消臭をして不安を解消させることができるのである。
【００１４】
【発明の実施の形態】
次に、本発明に係る具体的な実施の形態を図面に基づいて詳しく説明する。
まず、図１〜は、第１の実施の形態に係る携帯用ビデを示したものであり、該携帯用ビデは、概ね洗浄液を収納する所要長さの筒体部１と、該筒体部の後端部に連設され握り部を兼ねて洗浄液を噴射させるためのエアを供給するエアバッグ部２とから構成されている。
【００１５】
筒体部１は、形状維持が可能なように比較的硬質の樹脂材で表面を滑面に形成し、その直径が略１０〜２０ｍｍで長さが略５０〜１００ｍｍの範囲であって、その先端部１ａ側は円弧状に形成すると共に、その円弧状の先端部に少なくとも１個、好ましくは３〜５個程度の複数の噴出孔３を設けてある。この場合の噴出孔３の直径は２ｍｍ以下（１〜２個の場合）で、好ましくは１ｍｍ以下（３〜５個の場合）である。
【００１６】
筒体部１の後端部１ｂは、エアバッグ部２を連接させるための細径部４が延設形成され、該細径部４の内側にエアバッグ部２を連接させるための雌ネジ部４ａが形成されている。そして、この細径部４に隣接するようにして後端部１ｂの内部に、洗浄液を保留し且つ押し出し部材５が設けられている。
【００１７】
この場合の押し出し部材５は、エア圧が掛かったときに転倒しないように、且つ、筒体部１との摩擦を軽減するために、例えば、前後にフランジ部５ａ、５ｂを有する鼓状のシリンジであり、細径部４側に洗浄液が漏れないように、前側のフランジ部５ａにシールパッキン５ｃが設けられている。
【００１８】
エアバッグ部２は、復元性を有する可撓性の樹脂で全体形状として前記筒体部１の約２倍の容積に、且つ略ボトル形状または卵形に形成され、前記筒体部１と接続させる先端部２ａ側は所要長さの細径部６に形成し、該細径部６は所要の曲面をもって略９０〜１２０度の範囲で湾曲させてあり、その端部外表面には前記雌ネジ部４ａに螺着される雄ネジ部６ａが形成されている。なお、復元性を有する可撓性の樹脂というのは、例えば、マヨネーズ用のチューブまたは容器と同種の樹脂であり、適度の硬度があって折り目を付けない限り成形した形状に復元性を有するものが使用される。
【００１９】
エアバッグ部２の後端部２ｂ側にはエア導入口７が筒状に突出形成され、該エア導入口７を塞ぐための栓部材８が設けられている。この場合に、栓部材８は、図示したように、別体に形成した所要長さのベルト状部９に取り付けたものを使用し、該ベルト状部９の一端を筒状に形成したエア導入口７の外周面に取り付けても良いし、また、エア導入口７の開口端部位から一連にベルト状部または線状部を形成した一体のものを使用しても良い。要するに、エアバッグ部２内にエアを導入した後にエア導入口７を塞げれば良いのであって、栓部材８がないときには、指で押さえるようにしても良く、復元性を有することから握ったり緩めたりすることでポンプ機能を発揮させることもできるのである。
【００２０】
また、エアバッグ部２としては、前述したような適度の硬度があって復元性を有する樹脂でなくても使用できるものである。即ち、比較的柔軟性のある樹脂で形成されるものであって、エアバッグ部２の細径部６から雄ネジ部６ａに至る部分とエア導入口７の部分とを厚手に形成し、他の部分は比較的薄手で、例えば、よれよれの状態になっても良いが、伸縮性の少ない樹脂で形成し、エアバッグ部２全体を薄く折り畳むことができるものであっても良いのである。
【００２１】
この場合には、エアバッグ部２の容積を筒体部１の容積の２〜３倍とすることができるのであり、栓部材８は必要なものであるから、エア導入口７の縁部からベルト状部９を一連に形成して栓部材８を一体に形成した方が良い。そして、使用時には、自己復元性がないのであるから、エア導入口７から空気を吹き込んで全体を膨らませ、栓部材８をエア導入口７に嵌合させて使用する。いずれにしてもエアバッグ部２を空気で満杯にする必要はなく、筒体部１の容積の２〜３倍であることから８割程度空気が入っていれば使用可能なのである。
【００２２】
このように構成された第１の実施の形態においては、筒体部１の後端部１ｂの内部に押し出し部材５を摺動可能に配設した状態で先端部１ａを上向きにし、該先端部側から、例えば、注射器のような注入器具を用い噴出孔３を介して、内部に所要量の洗浄液を注入し充填した後、注入器具を引き抜いてから、接着剤層を有するフィルム材１０を用いて、先端部１ａ側を全面的に包み込むように貼着することにより噴出孔３を閉塞し、外部から完全にシールされた状態になって筒体部１が要するに洗浄液が収納された容器になるのである。なお、フィルム材１０は接着剤層と共に筒体部１から容易に剥離可能なものであり、接着剤層は洗浄液には溶解しないものが使用される。
【００２３】
筒体部１内に注入充填される洗浄液としては、蒸留水と皮膚に炎症を生じさせないで且つ適宜の殺菌・消毒・消臭能力を有する材料（薬品を含む）を混入したもの、例えば、１〜２０ｐｐｍ濃度の銀イオン水または銀コロイド水等の洗浄液が使用される。
【００２４】
洗浄液が注入充填された筒体部１の後端部１ｂ側に、細径部４の雌ネジ部４ａに、エアバッグ部２の細径部６の雄ネジ部６ａを螺着させることによってエアバック部２を連通状態に連接させる。なお、必要があれば、ネジ部による連接部からエアが漏れないように、例えば、少量の接着剤等を外部から塗布して完全にシールしても良い。
【００２５】
このように洗浄液が収納されている筒体部１に対しエアバック部２を連接させた携帯用ビデにおいては、図２及び図３に示したように、エアバック部２内の空気を抜いて全体を押し潰し、一方の側のバッグ側面２ｃをそのまま維持させ、他方の側のバッグ側面２ｄを仮装線（図１）で示したように内側に凹ますようにして重ね、細径部６の部分を更に内側に湾曲させることによって、筒体部１とエアバック部２とを長さ方向において重ね合わせ、筒体部１の側面の一部がエアバッグ部２によって包み込まれる状態になって全体がコンパクトに纏められる。
【００２６】
この状態で、適宜の透明な包装用の袋体に入れてコンパクトに纏められた状態を維持し、これを例えば、仮装線で示したような長方形の包装箱Ａに収納することによって体裁を整え、全体が軽量・小型化されているため取り扱いが容易になり、特に、発売のための店頭での陳列においても体裁の良いものとなるばかりでなく、携帯にも著しく便利なものとなる。なお、硬度がなく復元性を有しない樹脂で形成したエアバック部２の場合には、更に、折り畳みが容易で全体を小型コンパクトに纏めることができる。
【００２７】
そして、実際の使用に際しては、包装箱及び包装用の袋体から携帯用ビデを取り出し、細径部６の部分の湾曲を解くと共に、エアバッグ部２の重ね合わせ状態の両側を指で押圧することにより、内側に凹んでいたバッグ側面２ｄが外側に押し出されてエアバッグ部２が元の膨らんだボトル形状に復元させられ、エア導入口７から内部に十分な空気を取り入れた後に、エア導入口７に栓部材８を嵌合させて空気が漏れないように塞ぐ。
【００２８】
また、復元性のないエアバッグ部２を使用した場合には、例えば、エア導入口７に口を近づけて強制的に空気を吹き込んでエアバッグ部２を膨らませ、エア導入口７に栓部材８を嵌合させて吹き込んだ空気が漏れないように塞ぐ。
【００２９】
いずれにしてもエアバッグ部２を膨らませた後に、筒体部１の先端部１ａに貼着してあるフィルム材１０を剥がし、筒体部１を局部に挿着して、図４に示したように、エアバッグ部２を手でゆっくりと握り潰すようにすることで、圧縮空気を筒体部１側に供給し、該供給された圧縮空気によって押し出し部材５が先端部１ａ側に押圧移動させられることで、筒体部１内に収納した洗浄液が噴出孔３から局部内に噴射または噴出させ、局部内を殺菌・洗浄して消毒・消臭できるのである。
【００３０】
この場合に、筒体部１の容積の約２倍またはそれ以上の容積をもつエアバッグ部２であることにより、エアバッグ部２を手で強く握ってエアバッグ部２内の空気を押し出していれば、押し出し部材５が移動し続けて先端部１ａに到達するので、内部に収納した洗浄液のほとんど全部を噴出させることができる。そして、エアバッグ部２を手で握ることによる内圧により細径部６が硬直するので、筒体部１を押さえなくてもエアバッグ部２を手でしっかりと握ってさえいれば、洗浄液の噴出による反動で局部から抜け出すことがなく、安定した状態で使用することができるのである。
【００３１】
図５〜６に第２の実施の形態を示してある。この第２の実施の形態に係る携帯用ビデは、洗浄液を保留し且つ押し出し部材の構成が前記第１の実施の形態に係る携帯用ビデと相違するのみで、他の構成部材、即ち、筒体部及びエアバッグ部の構成は実質的に同一であるので、同一符号を付してその詳細については説明が重複するので省略する。
【００３２】
筒体部１内に配設される洗浄液を保留し且つ押し出し部材１５は、所謂袋体であって、該袋体は柔軟性を有する薄いフィルム材で筒体部１の内径と略同じ外径で且つ筒体部１の長さの略１／２の長さに形成され、該袋体の開口部は筒体部１の内側の略中間部に固定される。この場合に、例えば、筒体部１の半分の長さの内筒１６を使用し、袋体の開口部を筒体部１の内周面と内筒１６の一方の端部の外周面とで緊密に挟み付けて取り付けるようにし、内筒１６が後端部１ｂ側に位置するようにすれば簡単に取り付けられる。
【００３３】
そして、筒体部１に洗浄液を収納する場合には、筒体部１の先端部１ａ側の噴出孔３から所要量の洗浄液を注入することで、押し出し部材１５である袋体は、筒体部１の中間部から後端部１ｂ側に膨らんだ状態で洗浄液を保留するものであり、洗浄液の注入収納後において、先端部１ａに剥離性のフィルム材１０を貼着して密封することにより、洗浄液は筒体部１と袋体とによって、所謂、カプセル状態で収納保留されることになる。
【００３４】
洗浄液が注入充填された筒体部１の後端部１ｂ側にエアバック部２を連通状態に連接させること、エアバッグ部２を押し潰して筒体部１に添わせコンパクトにして包装すること等においては、前記第１の実施の形態で説明したことと実質的に同じである。
【００３５】
この第２の実施の形態に係る携帯用ビデの使用に際しては、前記第１の実施の形態で説明したように、エアバッグ部２に空気を入れて膨らました状態にしてから先端部１ａ側のフィルム材１０を剥がし、筒体部１を局部に挿着して、エアバッグ部２を手でゆっくりと握り潰すようにすることで、図６に示したように、圧縮空気を筒体部１側に供給し、該供給された圧縮空気によって押し出し部材１５である袋体が先端部１ａ側に押圧変形させられることで、筒体部１と袋体内に収納されている洗浄液が噴出孔３から局部内に噴射または噴出し、局部内を殺菌・洗浄して消毒・消臭できるのである。
【００３６】
また、エアバッグ部２を手で強く握ってエアバッグ部２内の空気を押し出していれば、押し出し部材１５である袋体が空気圧によって変形し続けて袋体の底部が先端部１ａに到達するので、内部に収納した洗浄液のほとんど全部を噴出させることができるし、エアバッグ部２を手で握ることによる内圧により細径部６が硬直するので、筒体部１を押さえなくてもエアバッグ部２を手でしっかりと握ってさえいれば、洗浄液の噴出による反動で局部から抜け出すことがなく、安定した状態で使用することができる点においても、前記第１の実施の形態で説明したとおりである。
【００３７】
いずれにしても本発明に係る携帯用ビデは、要するに、洗浄液を収納する筒体部１と空気圧で洗浄液を噴出させる握り部を兼ねたエアバッグ部２とからなるものであり、携帯時にはエアバッグ部２を薄く折り畳んで嵩張らないようにして携帯を便利にし、使用時にはエアバッグ部２を膨らまして握り締めることにより効率よく洗浄液を局部内に噴出して洗浄・殺菌並びに消毒・消臭させることができるようにしたものである。
【００３８】
【発明の効果】
以上説明したように、本発明に係る携帯用ビデは、洗浄液を収納する所要長さの筒体部と、該筒体部の後端部に連設され握り部を兼ねて洗浄液を噴射させるためのエアを供給するエアバッグ部とから構成され、前記筒体部は、硬質の樹脂で形成されその先端部を円弧状に形成して少なくとも１個の噴出孔を設けると共に、内部には洗浄液を保留し且つ押し出し部材が配設され、前記噴出孔は、洗浄液収納後に剥離可能なフィルム材で閉塞し、前記エアバック部は、封止可能なエア導入口を有する可撓性または柔軟性の樹脂で形成され、未使用時には、前記エアバッグ部を押し潰して前記筒体部の側面に添わせた状態にして包装する構成としてことにより、部品点数が少なくて安価に提供できるばかりでなく、全体が小型コンパクトに纏められており、携帯に便利であると共に、使用時においては、握り部を兼ねたエアバック部を膨らまし、該エアバック部を握って加圧することにより押し出し部材が移動または変形して噴出孔から洗浄液を噴出させることができるのであり、操作が極めて簡単に行えるという優れた効果を奏する。
【００３９】
また、洗浄液として、１〜２０ｐｐｍ濃度の銀イオン水または銀コロイド水を使用することにより、水道水を使用するものと異なり、洗浄後における局部の殺菌・消毒並びに消臭をして不安を解消させることができるという優れた効果を奏する。
【図面の簡単な説明】
【図１】本発明の第１の実施の形態に係る携帯用ビデを分解し且つ要部を断面で示した側面図である。
【図２】同実施の形態に係る携帯用ビデの包装状態を略示的に示した側面図である。
【図３】同実施の形態に係る携帯用ビデの包装状態を略示的に示した端面図である。
【図４】同実施の形態に係る携帯用ビデの使用状態を略示的に示した説明図である。
【図５】本発明の第２の実施の形態に係る携帯用ビデの筒体部のみを断面で示した側面図である。
【図６】同実施の形態に係る携帯用ビデの使用状態における要部のみを略示的に断面で示した側面図である。
【符号の説明】
１  筒体部；  １ａ  先端部；  １ｂ  後端部；
２  エアバッグ部；    ２ａ  先端部；    ２ｂ  後端部；  ２ｃ  一方の側面；
２ｄ  他方の側面
３  噴出孔
４  細径部；  ４ａ  雌ネジ部
５  押し出し部材；    ５ａ、５ｂ  フランジ部；  ５ｃ  シールパッキン
６  細径部；  ６ａ  雄ネジ部
７  エア導入口
８  栓部材
９  ベルト状部
１０  フィルム材
１５  押し出し部材
１６  内筒；    Ａ  包装箱
【図１】
2005027741.tif 000003
【図２】
2005027741.tif 000004
【図３】
2005027741.tif 000005
【図４】
2005027741.tif 000006
【図５】
2005027741.tif 000007
【図６】
2005027741.tif 000008
【手続補正書】
【提出日】平成16年6月3日(2004.6.3)
【手続補正１】
【補正対象書類名】明細書
【補正対象項目名】全文
【補正方法】変更
【補正の内容】
【特許請求の範囲】
【請求項１】被洗浄部に挿通し先端部から洗浄液を噴射する所要長さの筒体部と、該筒体部の後端に連設され全体を押圧して洗浄液を噴射させるための握り部とから構成された携帯用ビデであって、
前記洗浄液として銀イオン水または銀コロイド水を使用すること
を特徴とする携帯用ビデ。
【請求項２】筒体部と握り部はネジ部を介して着脱自在の構成にした
請求項１に記載の携帯用ビデ。
【請求項３】洗浄液は筒体部に袋体またはシリンジ部材を介して収納し、握り部はエアーバッグ部とした
請求項１に記載の携帯用ビデ。
【請求項４】前記握り部には、栓部材または弁部材付きエア導入口を設けた
請求項１乃至３に記載の携帯用ビデ。
【発明の詳細な説明】
【０００１】
【発明の属する技術分野】
本発明は、コンパクトに纏めて包装し常時携帯ができ、必要な時に局部の洗浄並びに殺菌・消毒・消臭等に、厄介な操作なしに直ちに且つ速やかに使用できる携帯用ビデに関するものである。
【０００２】
【従来の技術】
従来、この種の携帯用ビデは、例えば、トイレに設置ビデが設備されていない場所でも使用できるように、しかも、携帯に便利であることが要求されていることから、種々の構成のものが開発され公知になっている。
【０００３】
このような実情から、例えば、合成樹脂製フィルムで形成した可撓性の貯水袋と、その貯水袋に取着して水を出し入れする流路となる送水管と、その送水管の先端に取着する噴射ノズルと、その噴射ノズルと送水管との間に流通弁部を介在させた構成を有し、貯水袋内に位置する送水管を、同貯水袋内面に熱融着したものであり、更に、噴射ノズルの先端部に横方向に突出する噴出孔が形成され、または先端部近傍に突状壁を形成した携帯用局部洗浄具が公知になっている（特許文献１参照）。
【０００４】
このように構成することで、貯水袋を空の状態にして全体をコンパクトに纏めて持ち運ぶことができ、使用時において、送水管から噴射ノズルと流通弁部を取り外し、開口した送水管から水道水等の水を貯水袋内に所要量を溜めた後に、送水管の開口部に流通弁部を配設し噴射ノズルを螺着して取り付け、貯水袋を握ることにより加圧して内部の水を送水管から流通弁部を介して噴射ノズルへ送流させノズルヘッドから噴射させるものである。
【０００５】
また、携帯を便利にするために、例えば、蒸留水等の洗浄液を収納した弾力性を有する洗浄液ケースの開口部に蓋体を被着し、該蓋体の中心部に設けた挿通口を介して洗浄管を出没可能に設け、洗浄管の先端側を径大に形成して没入させた時に挿通口を塞ぎ、洗浄管を引き出した時に洗浄液流入孔が開く弁体を洗浄管の後端側に設けた構成であり、その弁体を開くための複雑な構成と、引き出した洗浄管を固定維持するための構成とが蓋体の内側と洗浄管の後端側とに形成された技術が公知になっている（特許文献２参照）。
【０００６】
このように構成することで、携帯時には洗浄管が洗浄液ケース内に没入した状態になるので嵩張らず便利であり、使用時に洗浄管を引き出して弁体の洗浄液流入孔を開き、洗浄液ケースを握ることにより加圧して洗浄管の先端から洗浄水を噴出させるものである。
【０００７】
【特許文献１】
特開２０００−１３９７６０号公報（第２〜６頁、図１）
【特許文献２】
実開平７−４５００４号公報（第１〜２頁、図１、図２）
【０００８】
【発明が解決しようとする課題】
しかしながら、前記特許文献１に記載の発明においては、貯水袋に洗浄水を入れない状態で持ち運びができるために携帯が便利であるが、使用時に送水管から噴射ノズルと流通弁部を取り外し、水道水等の水を貯水袋内に溜めた後に、取り外してある流通弁部と噴射ノズルを送水管の開口部に取り付ける際に、流通弁部の方向を間違えて取り付けると、貯水袋を強く握っても水が噴射せず、再度取り外してやり直さなければならず、これらの取り外し及び取り付けの作業が厄介であって、実質的に簡素化できていないばかりでなく、消毒していない水道水を使用するために、局部を洗浄するといっても殺菌・消毒などが全くなされないので、病気の感染などの不安が残るという問題点を有している。
【０００９】
また、前記特許文献２に記載の発明においては、使用時に洗浄管を引き出す際に、強く引きすぎると洗浄管が抜けてしまったりし、逆に引き出しが弱いと弁体の洗浄液流入孔が充分開かなかったりして、引き出しのストロークと弁体における洗浄液流入孔の開き具合が把握できず、構成的にみても、構成部品の点数が多く簡素化に逆行すると共に、使用時において、ケース内に予め蒸留水などの洗浄液が充填されていることから、水道水等の消毒していない水の使用を避けてはいるが、蒸留水では局部の殺菌・消毒などが全くなされないもので単なる洗い流しに過ぎず、依然として病気の感染などの不安が残るという問題点を有している。
【００１０】
従って、従来例の携帯用ビデにおいては、操作性が容易であること、使用時に種々の不都合がないようにすること、及び部品点数を減らして簡素化して嵩張らずに携帯を容易にすることはもちろんであるが、ユーザーにとって何よりも心配なことは病気に感染することなのであって、洗浄することにより局部を殺菌・消毒・消臭してその心配または不安を解消させることに解決しなければならない課題を有している。
【００１１】
【課題を解決するための手段】
上記した従来例の課題を解決する具体的手段として本発明は、被洗浄部に挿通し先端部から洗浄液を噴射する所要長さの筒体部と、該筒体部の後端に連設され全体を押圧して洗浄液を噴射させるための握り部とから構成された携帯用ビデであって、前記洗浄液として銀イオン水または銀コロイド水を使用することを特徴とする携帯用ビデを提供するものである。
【００１２】
この発明において、筒体部と握り部はネジ部を介して着脱自在の構成にしたこと；洗浄液は筒体部に袋体またはシリンジ部材を介して収納し、握り部はエアーバッグ部としたこと；前記握り部には、栓部材または弁部材付きエア導入口を設けたこと；を付加的な要件として含むものである。
【００１３】
本発明に係る携帯用ビデは、洗浄液として所要濃度の銀イオン水または銀コロイド水を予め収納しておくのであって、使用時に局部の洗浄は勿論であるが洗浄すると同時に局部の殺菌・消毒をすると共に、洗浄後においても洗浄液が局部に付着残存し、局部の殺菌・消毒・消臭をするのであって、病気感染の不安を解消させることができるのである。
また、予め内部に洗浄液が収納されており、筒体部と握り部はネジ部を介して着脱自在の構成にしたことにより、部品点数が少なく全体が小型コンパクトに纏められており、携帯に便利であると共に、使用時においては、握り部を兼ねたエアバック部を膨らまし、エアバック部を握って加圧することにより噴出孔から洗浄液を噴出させることができるのであり、操作が極めて簡単に行えるのである。
【００１４】
【発明の実施の形態】
次に、本発明に係る具体的な実施の形態を図面に基づいて詳しく説明する。
まず、図１〜４は、第１の実施の形態に係る携帯用ビデを示したものであり、該携帯用ビデは、例えば、洗浄液を収納できる所要長さの筒体部１と、該筒体部の後端部に連設され、握り部を兼ねて洗浄液を収納できまたは噴射させるためのエアを供給できるエアバッグ部２とから構成されている。
【００１５】
筒体部１は、形状維持が可能なように比較的硬質の樹脂材で表面を滑面に形成し、例えば、その直径が略１０〜２０ｍｍで長さが略５０〜１００ｍｍの範囲であって、その先端部１ａ側は円弧状に形成すると共に、その円弧状の先端部に少なくとも１個、好ましくは３〜５個程度の複数の噴出孔３を設けてある。この場合の噴出孔３の直径は２ｍｍ以下（１〜２個の場合）で、好ましくは１ｍｍ以下（３〜５個の場合）である。
【００１６】
筒体部１の後端部１ｂは、エアバッグ部２を連接させるための細径部４が延設形成され、該細径部４の内側にエアバッグ部２を連接させるための雌ネジ部４ａが形成されている。そして、この細径部４に隣接するようにして後端部１ｂの内部に、洗浄液を保留し且つ押し出し部材５が設けられている。
【００１７】
この場合の押し出し部材５は、エア圧が掛かったときに転倒しないように、且つ、筒体部１との摩擦を軽減するために、例えば、前後にフランジ部５ａ、５ｂを有する鼓状のシリンジであり、細径部４側に洗浄液が漏れないように、前側のフランジ部５ａにシールパッキン５ｃが設けられている。
【００１８】
エアバッグ部２は、復元性を有する可撓性の樹脂で全体形状として前記筒体部１の約２倍の容積に、且つ略ボトル形状または卵形に形成され、前記筒体部１と接続させる先端部２ａ側は所要長さの細径部６に形成し、該細径部６は所要の曲面をもって略９０〜１２０度の範囲で湾曲させてあり、その端部外表面には前記雌ネジ部４ａに螺着される雄ネジ部６ａが形成され、筒体部１と着脱自在になっている。なお、復元性を有する可撓性の樹脂というのは、例えば、マヨネーズ用のチューブまたは容器と同種の樹脂であり、適度の硬度があって折り目を付けない限り成形した形状に復元性を有するものが使用される。
【００１９】
エアバッグ部２の後端部２ｂ側にはエア導入口７が筒状に突出形成され、該エア導入口７を塞ぐための栓部材８が設けられている。この場合に、栓部材８は、図示したように、別体に形成した所要長さのベルト状部９に取り付けたものを使用し、該ベルト状部９の一端を筒状に形成したエア導入口７の外周面に取り付けても良いし、また、エア導入口７の開口端部位から一連にベルト状部または線状部を形成した一体のものを使用しても良い。要するに、エアバッグ部２内にエアを導入した後にエア導入口７を塞げれば良いのであって、栓部材８がないときには、指で押さえるようにしても良く、復元性を有することから握ったり緩めたりすることでポンプ機能を発揮させることもできるのである。
【００２０】
また、エアバッグ部２としては、前述したような適度の硬度があって復元性を有する樹脂でなくても使用できるものである。即ち、比較的柔軟性のある樹脂で形成されるものであって、エアバッグ部２の細径部６から雄ネジ部６ａに至る部分とエア導入口７の部分とを厚手に形成し、他の部分は比較的薄手で、例えば、よれよれの状態になっても良いが、伸縮性の少ない樹脂で形成し、エアバッグ部２全体を薄く折り畳むことができるものであっても良いのである。
【００２１】
この場合には、エアバッグ部２の容積を筒体部１の容積の２〜３倍とすることができるのであり、栓部材８は必要なものであるから、エア導入口７の縁部からベルト状部９を一連に形成して栓部材８を一体に形成した方が良い。そして、使用時には、自己復元性がないのであるから、エア導入口７から空気を吹き込んで全体を膨らませ、栓部材８をエア導入口７に嵌合させて使用する。いずれにしてもエアバッグ部２を空気で満杯にする必要はなく、筒体部１の容積の２〜３倍であることから８割程度空気が入っていれば使用可能なのである。
【００２２】
このように構成された第１の実施の形態においては、筒体部１の後端部１ｂの内部に押し出し部材５を摺動可能に配設した状態で先端部１ａを上向きにし、該先端部側から、例えば、注射器のような注入器具を用い噴出孔３を介して、内部に所要量の洗浄液を注入し充填した後、注入器具を引き抜いてから、接着剤層を有するフィルム材１０を用いて、先端部１ａ側を全面的に包み込むように貼着することにより噴出孔３を閉塞し、外部から完全にシールされた状態になって筒体部１が要するに洗浄液が収納された容器になるのである。なお、フィルム材１０は接着剤層と共に筒体部１から容易に剥離可能なものであり、接着剤層は洗浄液には溶解しないものが使用される。
【００２３】
筒体部１内に注入充填される洗浄液としては、蒸留水と皮膚に炎症を生じさせないで且つ適宜の殺菌・消毒・消臭能力を有する材料（薬品を含む）を所要濃度混入したもの、例えば、１〜２０ｐｐｍ濃度の銀イオン水または銀コロイド水等の洗浄液が一例として使用される。
【００２４】
洗浄液が注入充填された筒体部１の後端部１ｂ側に、細径部４の雌ネジ部４ａに、エアバッグ部２の細径部６の雄ネジ部６ａを螺着させることによってエアバック部２を連通状態に連接させる。なお、必要があれば、ネジ部による連接部からエアが漏れないように、例えば、少量の接着剤等を外部から塗布して完全にシールしても良い。
【００２５】
このように洗浄液が収納されている筒体部１に対しエアバック部２を連接させた携帯用ビデにおいては、図２及び図３に示したように、エアバック部２内の空気を抜いて全体を押し潰し、一方の側のバッグ側面２ｃをそのまま維持させ、他方の側のバッグ側面２ｄを仮装線（図１）で示したように内側に凹ますようにして重ね、細径部６の部分を更に内側に湾曲させることによって、筒体部１とエアバック部２とを長さ方向において重ね合わせ、筒体部１の側面の一部がエアバッグ部２によって包み込まれる状態になって全体がコンパクトに纏められる。
【００２６】
この状態で、適宜の透明な包装用の袋体に入れてコンパクトに纏められた状態を維持し、これを例えば、仮装線で示したような長方形の包装箱Ａに収納することによって体裁を整え、全体が軽量・小型化されているため取り扱いが容易になり、特に、発売のための店頭での陳列においても体裁の良いものとなるばかりでなく、携帯にも著しく便利なものとなる。なお、硬度がなく復元性を有しない樹脂で形成したエアバック部２の場合には、更に、折り畳みが容易で全体を小型コンパクトに纏めることができる。
【００２７】
そして、実際の使用に際しては、包装箱及び包装用の袋体から携帯用ビデを取り出し、細径部６の部分の湾曲を解くと共に、エアバッグ部２の重ね合わせ状態の両側を指で押圧することにより、内側に凹んでいたバッグ側面２ｄが外側に押し出されてエアバッグ部２が元の膨らんだボトル形状に復元させられ、エア導入口７から内部に十分な空気を取り入れた後に、エア導入口７に栓部材８を嵌合させて空気が漏れないように塞ぐ。
【００２８】
また、復元性のないエアバッグ部２を使用した場合には、例えば、エア導入口７に口を近づけて強制的に空気を吹き込んでエアバッグ部２を膨らませ、エア導入口７に栓部材８を嵌合させて吹き込んだ空気が漏れないように塞ぐ。
【００２９】
いずれにしてもエアバッグ部２を膨らませた後に、筒体部１の先端部１ａに貼着してあるフィルム材１０を剥がし、筒体部１を局部に挿着して、図４に示したように、エアバッグ部２を手でゆっくりと握り潰すようにすることで、圧縮空気を筒体部１側に供給し、該供給された圧縮空気によって押し出し部材５が先端部１ａ側に押圧移動させられることで、筒体部１内に収納した洗浄液が噴出孔３から局部内に噴射または噴出させ、局部内を殺菌・洗浄して消毒・消臭できるのである。
【００３０】
この場合に、筒体部１の容積の約２倍またはそれ以上の容積をもつエアバッグ部２であることにより、エアバッグ部２を手で強く握ってエアバッグ部２内の空気を押し出していれば、押し出し部材５が移動し続けて先端部１ａに到達するので、内部に収納した洗浄液のほとんど全部を噴出させることができる。そして、エアバッグ部２を手で握ることによる内圧により細径部６が硬直するので、筒体部１を押さえなくてもエアバッグ部２を手でしっかりと握ってさえいれば、洗浄液の噴出による反動で局部から抜け出すことがなく、安定した状態で使用することができるのである。
【００３１】
図５〜６に第２の実施の形態を示してある。この第２の実施の形態に係る携帯用ビデは、洗浄液を保留し且つ押し出し部材の構成が前記第１の実施の形態に係る携帯用ビデと相違するのみで、他の構成部材、即ち、筒体部及びエアバッグ部の構成は実質的に同一であるので、同一符号を付してその詳細については説明が重複するので省略する。
【００３２】
筒体部１内に配設される洗浄液を保留し且つ押し出し部材１５は、所謂袋体であって、該袋体は柔軟性を有する薄いフィルム材で筒体部１の内径と略同じ外径で且つ筒体部１の長さの略１／２の長さに形成され、該袋体の開口部は筒体部１の内側の略中間部に固定される。この場合に、例えば、筒体部１の半分の長さの内筒１６を使用し、袋体の開口部を筒体部１の内周面と内筒１６の一方の端部の外周面とで緊密に挟み付けて取り付けるようにし、内筒１６が後端部１ｂ側に位置するようにすれば簡単に取り付けられる。
【００３３】
そして、筒体部１に洗浄液を収納する場合には、筒体部１の先端部１ａ側の噴出孔３から所要量の洗浄液を注入することで、押し出し部材１５である袋体は、筒体部１の中間部から後端部１ｂ側に膨らんだ状態で洗浄液を保留するものであり、洗浄液の注入収納後において、先端部１ａに剥離性のフィルム材１０を貼着して密封することにより、洗浄液は筒体部１と袋体とによって、所謂、カプセル状態で収納保留されることになる。
【００３４】
洗浄液が注入充填された筒体部１の後端部１ｂ側にエアバック部２を連通状態に連接させること、エアバッグ部２を押し潰して筒体部１に添わせコンパクトにして包装すること等においては、前記第１の実施の形態で説明したことと実質的に同じである。
【００３５】
この第２の実施の形態に係る携帯用ビデの使用に際しては、前記第１の実施の形態で説明したように、エアバッグ部２に空気を入れて膨らました状態にしてから先端部１ａ側のフィルム材１０を剥がし、筒体部１を局部に挿着して、エアバッグ部２を手でゆっくりと握り潰すようにすることで、図６に示したように、圧縮空気を筒体部１側に供給し、該供給された圧縮空気によって押し出し部材１５である袋体が先端部１ａ側に押圧変形させられることで、筒体部１と袋体内に収納されている洗浄液が噴出孔３から局部内に噴射または噴出し、局部内を殺菌・洗浄して消毒・消臭できるのである。
【００３６】
また、エアバッグ部２を手で強く握ってエアバッグ部２内の空気を押し出していれば、押し出し部材１５である袋体が空気圧によって変形し続けて袋体の底部が先端部１ａに到達するので、内部に収納した洗浄液のほとんど全部を噴出させることができるし、エアバッグ部２を手で握ることによる内圧により細径部６が硬直するので、筒体部１を押さえなくてもエアバッグ部２を手でしっかりと握ってさえいれば、洗浄液の噴出による反動で局部から抜け出すことがなく、安定した状態で使用することができる点においても、前記第１の実施の形態で説明したとおりである。
【００３７】
いずれにしても本発明に係る携帯用ビデは、要するに、内部に収納した銀イオン水または銀コロイド水からなる洗浄液を、筒体部１の先端部から局部内に噴出して洗浄と同時に殺菌並びに消毒・消臭を行うことができるようにしたものであり、それによって不安視されている病気の感染を防止することができる点で重要なのである。なお、携帯用ビデの形状・構成はあくまでも一例であって、これに限定されず従来構造のものを用いても、要するに、局部の洗浄と同時に局部の殺菌・消毒並びに消臭が行える洗浄液を使用することが発明の本質的な要件なのである。
【００３８】
【発明の効果】
以上説明したように、本発明に係る携帯用ビデは、被洗浄部に挿通し先端部から洗浄液を噴射する所要長さの筒体部と、該筒体部の後端に連設され全体を押圧して洗浄液を噴射させるための握り部とから構成された携帯用ビデであって、前記洗浄液として銀イオン水または銀コロイド水を使用することにより、水道水または蒸留水を使用するものと異なって、局部の洗浄と同時に局部の殺菌・消毒並びに消臭が行えると共に、洗浄後においても局部に一部の洗浄液が付着残留し殺菌・消毒並びに消臭を継続するので、病気の感染等の不安を解消させることができるという優れた効果を奏する。
【００３９】
また、所要長さの筒体部と、その後端部に連設される握り部を兼ねた洗浄液を噴射させるためのエアバッグ部とを着脱自在に形成した構成にしたことにより、部品点数が少なく全体が小型コンパクトに纏められるのであり、携帯に便利であると共に、使用時においては、握り部を兼ねたエアバック部を握って加圧することにより、筒体部の噴出孔から洗浄液を噴出させることができるのであり、操作が極めて簡単に行えるという優れた効果を奏する。
【図面の簡単な説明】
【図１】本発明の第１の実施の形態に係る携帯用ビデを分解し且つ要部を断面で示した側面図である。
【図２】同実施の形態に係る携帯用ビデの包装状態を略示的に示した側面図である。
【図３】同実施の形態に係る携帯用ビデの包装状態を略示的に示した端面図である。
【図４】同実施の形態に係る携帯用ビデの使用状態を略示的に示した説明図である。
【図５】本発明の第２の実施の形態に係る携帯用ビデの筒体部のみを断面で示した側面図である。
【図６】同実施の形態に係る携帯用ビデの使用状態における要部のみを略示的に断面で示した側面図である。
【符号の説明】
１  筒体部；  １ａ  先端部；  １ｂ  後端部；
２  エアバッグ部；  ２ａ  先端部；  ２ｂ  後端部；  ２ｃ  一方の側面；
２ｄ  他方の側面
３  噴出孔
４  細径部；  ４ａ  雌ネジ部
５  押し出し部材；  ５ａ、５ｂ  フランジ部；  ５ｃ  シールパッキン
６  細径部；  ６ａ  雄ネジ部
７  エア導入口
８  栓部材
９  ベルト状部
１０  フィルム材
１５  押し出し部材
１６  内筒
Ａ  包装箱